(57)【要約】【課題】支払インターフェース装置、システムおよび方法を開示する。【解決手段】特に、さまざまな支払方法による支払を受付る、自動販売機、ゲーム機、または一般に無人の他の機械で用いられる支払インターフェース装置を開示する。標準的な金融取引カードで使用される媒体の種別に基づいて取引を特定の取引種別として判断して処理するためのシステムおよび方法も開示する。インターフェース装置は、１枚の標準的な金融取引カードを１回提示することでそのカード上の１つまたは複数の媒体を読取るための複数のセンサを含む。【選択図】図１
2013235557.tif 000002
【特許請求の範囲】
【請求項１】
支払インターフェースシステムであって、
ａ．ユーザインターフェースを備え、前記ユーザインターフェースは、
ｉ．ハウジングと、
ｉｉ．各々が異なる媒体種別を読取るように選択される、カードデータおよび媒体種別を検知するための複数の媒体センサと、
ｉｉｉ．カードデータを少なくとも１つの媒体種別に格納させた標準的な金融取引カードを誘導するための単一のカード経路とをさらに備え、
各媒体センサは、標準的な金融取引カードを前記単一のカード経路に沿って前記単一のカード経路に挿入するというユーザの動作により、前記カード上に存在する各媒体種別を対応する媒体センサと作動的に通信させるように、前記単一のカード経路に沿って前記ハウジング内に位置決めされて設置され、前記支払インターフェースシステムはさらに、
ｂ．取引種別コントローラを備え、前記取引種別コントローラは、
ｉ．多数の媒体種別が１枚の標準的な金融取引カードに存在する場合に所望の取引種別を判断して媒体種別に基づいて支払を提示することに関する一組の格納された命令を収容するためのメモリと、
ｉｉ．カードデータおよび媒体種別を取得し、前記標準的な金融取引カード上で利用可能な媒体種別および前記格納された命令に基づいて前記所望の取引種別を判断するように前記格納された命令を実行するための、前記所望の取引種別をカードデータとともに支払コントローラに通信することができる、前記複数の媒体センサと通信するプロセッサとをさらに備える、支払インターフェースシステム。
【請求項２】
前記媒体センサは、磁気ストライプ読取装置、チップ読取装置、チップ・アンド・ピン読取装置、非接触式読取装置、プリペイドカード読取装置、ＲＦ読取装置および近距離無線通信（near field communication）（ＮＦＣ）読取装置から選択される、請求項１に記載の支払インターフェースシステム。
【請求項３】
前記複数の媒体センサのうちの少なくとも１つは、接触式または非接触式媒体が単一のカードスロットおよび経路に入ることなく前記ハウジングに作動的に近接している時に接触式または非接触式媒体を読取ることができるように位置決めされた接触式または非接触式読取装置である、請求項１または２に記載の支払インターフェースシステム。
【請求項４】
ユーザと通信するための通信装置をさらに備える、請求項１に記載の支払インターフェースシステム。
【請求項５】
前記通信装置は、表示装置、オーディオ装置またはそれらの組合せである、請求項４に記載の支払インターフェースシステム。
【請求項６】
紙幣受入器をさらに備える、請求項１に記載の支払インターフェースシステム。
【請求項７】
ユーザ入力装置をさらに備える、請求項１に記載の支払インターフェースシステム。
【請求項８】
支払インターフェースシステムであって、
ａ．ユーザインターフェースを備え、前記ユーザインターフェースは、
ｉ．カードデータを少なくとも１つの媒体種別に格納させた標準的な金融取引カードを受付けるための単一のカードスロットおよび単一のカード経路を規定するハウジングと、
ｉｉ．カードデータおよび媒体種別を検知するための複数の媒体センサとをさらに備え、
各媒体センサは、標準的な金融取引カードを前記単一のカード経路に沿って前記単一のカードスロットに挿入するというユーザの動作により、前記カード上に存在する各媒体種別を対応する媒体センサと作動的に通信させるように、前記ハウジング内に位置決めされて設置され、
前記複数の媒体センサは各々、異なる媒体種別から選択され、前記媒体種別は、磁気ストライプ読取装置、チップ読取装置、チップ・アンド・ピン読取装置、非接触式読取装置、プリペイドカード読取装置、ＲＦ読取装置および近距離無線通信（ＮＦＣ）読取装置から選択され、
任意の接触式または非接触式読取装置はまた、接触式または非接触式媒体が前記単一のカードスロットおよび経路に入ることなく前記ハウジングに作動的に近接している時に接触式または非接触式媒体を読取ることができるように位置決めされ、前記ユーザインターフェースはさらに、
ｉｉｉ．ユーザと通信するための通信装置を備え、前記通信装置は、表示装置、オーディオ装置またはそれらの組合せであり、前記ユーザインターフェースはさらに、
ｉｖ．紙幣受入器と、
ｖ．ユーザ入力装置とを備え、前記支払インターフェースシステムはさらに、
ｂ．媒体種別コントローラを備え、前記媒体種別コントローラは、
ｉ．多数の媒体種別が１枚の標準的な金融取引カードに存在する場合に所望の媒体種別を判断して支払を提示することに関する一組の格納された命令を収容するためのメモリと、
ｉｉ．前記標準的な金融取引カード上で利用可能な媒体種別および前記格納された命令に基づいて前記所望の媒体種別を判断するように前記格納された命令を実行するための、前記所望の媒体種別を支払コントローラに通信することができる、前記複数の媒体センサと通信するプロセッサとをさらに備える、支払インターフェースシステム。
【請求項９】
支払インターフェースシステムのためのユーザインターフェースであって、
ハウジングと、
各々が異なる媒体種別を読取るように選択される、カードデータおよび媒体種別を検知するための複数の媒体センサと、
カードデータを少なくとも１つの媒体種別に格納させた標準的な金融取引カードを誘導するための単一のカード経路とを備え、
各媒体センサは、標準的な金融取引カードを前記単一のカード経路に沿って前記単一のカード経路に挿入するというユーザの動作により、前記カード上に存在する各媒体種別を対応する媒体センサと作動的に通信させるように、前記単一のカード経路に沿って前記ハウジング内に位置決めされて設置される、ユーザインターフェース。
【請求項１０】
前記媒体センサは、磁気ストライプ読取装置、チップ読取装置、チップ・アンド・ピン読取装置、非接触式読取装置、プリペイドカード読取装置、ＲＦ読取装置および近距離無線通信（ＮＦＣ）読取装置から選択される、請求項９に記載のユーザインターフェース。
【請求項１１】
前記複数の媒体センサのうちの少なくとも１つは、接触式または非接触式媒体が単一のカードスロットおよび経路に入ることなく前記ハウジングに作動的に近接している時に接触式または非接触式媒体を読取ることができるように位置決めされた接触式または非接触式読取装置である、請求項９または１０に記載のユーザインターフェース。
【請求項１２】
ユーザと通信するための通信装置をさらに備える、請求項９に記載のユーザインターフェース。
【請求項１３】
前記通信装置は、表示装置、オーディオ装置またはそれらの組合せである、請求項１２に記載のユーザインターフェース。
【請求項１４】
紙幣受入器をさらに備える、請求項９に記載のユーザインターフェース。
【請求項１５】
ユーザ入力装置をさらに備える、請求項９に記載のユーザインターフェース。
【請求項１６】
支払インターフェースシステムのための取引種別コントローラであって、
多数の媒体種別が１枚の標準的な金融取引カードに存在する場合に所望の取引種別を判断して媒体種別に基づいて支払を提示することに関する一組の格納された命令を収容するためのメモリと、
カードデータおよび媒体種別を取得し、前記標準的な金融取引カード上で利用可能な媒体種別および前記格納された命令に基づいて前記所望の取引種別を判断するように前記格納された命令を実行するための、前記所望の取引種別をカードデータとともに支払コントローラに通信することができる、複数の媒体センサと通信するプロセッサとを備える、取引種別コントローラ。
【請求項１７】
標準的な金融取引カード上で利用可能な媒体種別に基づいて取引処理のための取引種別を判断する方法であって、
１枚の標準的な金融取引カード上で利用可能な媒体種別に関する電子データを受取るステップと、
所望の取引種別を判断するために、利用可能な媒体種別に関する前記電子データと、可能性のある媒体種別の優先処理に関する格納された命令とを、プロセッサによって比較するステップと、
前記比較に基づいて所望の取引種別を判断するステップと、
所望の取引種別を含む電子データを取引プロセッサに送信するステップとを備える、方法。
【請求項１８】
前記電子データを受取るステップの前に、前記方法はさらに、
どの媒体種別が存在するかを含む、前記１枚の標準的な金融取引カード上の複数の媒体種別に格納されたデータを複数の媒体センサによって検知するステップと、
前記データを電子データとして前記プロセッサに出力するステップとを備える、請求項１７に記載の方法。
【請求項１９】
前記格納された命令は、前記所望の取引種別に対応する媒体種別の階層的ランキングを含む、請求項１８に記載の方法。
【請求項２０】
前記媒体種別は、非接触式、接触式、磁気ストライプから選択される、請求項１９に記載の方法。
【発明の詳細な説明】
【技術分野】
【０００１】
分野
本願は一般に支払インターフェース装置に関する。特に、本願は、さまざまな支払方法による支払を受付ける、自動販売機、ゲーム機、または一般に無人の他の機械で用いられる支払インターフェース装置に関する。
【背景技術】
【０００２】
背景
世界中のさまざまな市場では、自動販売機、ゲーム機などの一般に無人の取引機械においてさまざまな金銭取扱機が使用されている。紙幣および硬貨に加えて、場合によっては紙幣および硬貨を除外するように、これらの機械のうちの多くは、クレジットカード、バンクカード、ギフトカードなどの標準的な金融取引カードを受付ける、または受付けることになる。世界中では、いくつかの安全機能およびセキュリティ機能がこのようなカードで使用されており、それらの中には他の地域よりも特定の地政学的地域で広く使用されているものもある。
【発明の概要】
【発明が解決しようとする課題】
【０００３】
たとえばアメリカでは、磁気ストライプが普及しており、接触式技術または非接触式技術の利用が増大している。ヨーロッパでは、これらの技術は集積回路またはスマートカードとしても利用可能である。オーストラリアでは、ＥＭＶ非接触式システムが人気がある。
【０００４】
世界がますますグローバル化するにつれて、これらの多数の安全／セキュリティ機能を受付け、特定して分析し、恐らくはこのような情報を用いて、顧客満足体験を向上させる、および／または、取引をいかに取扱うかもしくは処理するかを決定することができる単一のユーザインターフェースを有することが有益であろう。
【０００５】
提出された図面は、本開示が包含するいくつかの実施例またはいくつかの実施例の特徴を示している。図面は、例示的であるように意図されており、限定的であることを意図したものではない。図面を通して同様の参照数字は同様の要素を指す。
【図面の簡単な説明】
【０００６】
【図１】例示的な支払プロセスを示す概略図である。
【図２】本明細書に開示されるいくつかの実施例に従うベゼルまたは端末の斜視図である。
【図３】本明細書に開示されるいくつかの実施例に従うベゼルまたは端末の斜視図である。
【図４】本明細書に開示されるいくつかの実施例に従うベゼルまたは端末の断面図である。
【図５】本明細書に開示されるいくつかの実施例に従うベゼルまたは端末の断面斜視図である。
【図６】本明細書に開示されるいくつかの実施例に従うベゼルまたは端末の図である。
【図７】本明細書に開示されるいくつかの実施例に従うベゼルまたは端末の図である。
【図８】本明細書に開示されるいくつかの実施例に従うベゼルまたは端末の図である。
【図９】本明細書に開示されるいくつかの実施例に従うベゼルまたは端末の図である。
【図１０】本明細書に開示されるいくつかの実施例に従うベゼルまたは端末の図である。
【図１１Ａ】本明細書中のいくつかの実施例に従うベゼルまたは端末の代替的な形状を示す図である。
【図１１Ｂ】本明細書中のいくつかの実施例に従うベゼルまたは端末の代替的な形状を示す図である。
【図１２Ａ】本明細書中のいくつかの実施例に従うベゼルまたは端末の代替的な形状を示す図である。
【図１２Ｂ】本明細書中のいくつかの実施例に従うベゼルまたは端末の代替的な形状を示す図である。
【図１３Ａ】本明細書中のいくつかの実施例に従うベゼルまたは端末の代替的な形状を示す図である。
【図１３Ｂ】本明細書中のいくつかの実施例に従うベゼルまたは端末の代替的な形状を示す図である。
【図１４Ａ】本明細書中のいくつかの実施例に従うベゼルまたは端末の代替的な形状を示す図である。
【図１４Ｂ】本明細書中のいくつかの実施例に従うベゼルまたは端末の代替的な形状を示す図である。
【図１５Ａ】本明細書中のいくつかの実施例に従うベゼルまたは端末の代替的な形状を示す図である。
【図１５Ｂ】本明細書中のいくつかの実施例に従うベゼルまたは端末の代替的な形状を示す図である。
【図１６Ａ】本明細書中のいくつかの実施例に従うベゼルまたは端末の代替的な形状を示す図である。
【図１６Ｂ】本明細書中のいくつかの実施例に従うベゼルまたは端末の代替的な形状を示す図である。
【図１７Ａ】本明細書中のいくつかの実施例に従うベゼルまたは端末の代替的な形状を示す図である。
【図１７Ｂ】本明細書中のいくつかの実施例に従うベゼルまたは端末の代替的な形状を示す図である。
【図１８Ａ】本明細書中のいくつかの実施例に従うベゼルまたは端末の代替的な形状を示す図である。
【図１８Ｂ】本明細書中のいくつかの実施例に従うベゼルまたは端末の代替的な形状を示す図である。
【図１９】本明細書中のいくつかの実施例に従うベゼルまたは端末の代替的な形状を示す図である。
【図２０】本明細書中のいくつかの実施例に従うカードレス読取装置のためのアンテナのさまざまな例示的な構成を示す図である。
【図２１Ａ】本明細書に開示されるいくつかの実施例に従って配置され、構成された多数の媒体センサの例示的な構成を示す図である。
【図２１Ｂ】本明細書に開示されるいくつかの実施例に従って配置され、構成された多数の媒体センサの例示的な構成を示す図である。
【図２２】本明細書に開示されるいくつかの実施例に従って使用される例示的なスタンドアロンのカード読取装置を示す図である。
【図２３】本明細書に開示されるいくつかの実施例に従って使用される例示的な集積チップ読取装置を示す図である。
【発明を実施するための形態】
【０００７】
詳細な説明
上述のように、標準的な金融取引カードおよびそれらの安全／セキュリティ機能が複雑であり、かつ、数が多いので、統一的な顧客満足体験が顧客満足体験を向上させることになる。また、これらの情報を用いることにより、機械の所有者または操作者は、利益を最大化することができ、または最良の料金プロファイルを達成するために使用される取引の種別を制御することができる。
【０００８】
本明細書に開示されるユーザ支払インターフェースにより、消費者が有しているバンクカードまたはモバイル機器の技術に関係なく、消費者はデビットベースまたはクレジットベースの販売を行なうことができる。ほとんどの場合、バンクカード（標準的な金融取引カード）を１回通すことで販売が行なわれる。成功を確実にするために、ユーザ支払装置は、直感的なものであるべきであり、消費者にクレジットカードおよびデビットカードを使用するよう促すようなものであるべきである。支払プロセスは、すべてのカード種別にわたって一貫しているべきであり、消費者にとって直感的なものであるべきである。
【０００９】
いくつかの実施例では、ユーザ支払インターフェースは、紙幣受入器を備え得るまたは備え得ないベゼルを備え、当該ベゼルは、新規なものであり得、または既存の機械に後付け可能である。
【００１０】
当該ベゼル（または端末）は、すでに存在しているさまざまなカード種別および技術、ならびに開発中の新規の技術の複雑さに対処することができる。当該ベゼルは、アメリカ、カナダ、ヨーロッパおよびオーストラリアにおけるさまざまな磁気ストライプ、チップおよび非接触式支払スキーム、ならびにその他の所望の金融システムと適合する少なくとも１つの読取装置（媒体センサ）を含む。
【００１１】
本明細書中の開示は、支払インターフェース装置（たとえば、ベゼル、端末など）および取引種別コントローラを含む支払インターフェースシステム、支払インターフェース装置自体、取引種別コントローラ自体、ならびにそれらを使用する方法に関する。
【００１２】
このシステムおよびその一部分をよりよく理解するためには、カードおよびセンサの種類、取引種別ならびに電子支払プロセスについて理解することが助けになる。
【００１３】
異なるカードインターフェースフォーマットのための一般的な業界規格
本明細書に記載される本発明の装置および方法は、クレジットカードもしくはデビットカードの利用、または他の標準的な金融取引カードの利用に有用である。一般に、取引カードは、その表面に磁気ストリップを少なくとも有しており、商品またはサービスの支払のための取引を完了させるためにＰＯＳ端末に通すことができる。このような取引の方法は、一般に、寸法が８．５６０×５．９８ミリメートルであることを規定するＩＳＯ／ＩＥＣ７８１０規格の範囲内である。すべての標準寸法において、カードの厚みは一般に０．７６である。取引カードの中には、偽造を回避するためにホログラムを組込んでいるものもある。
【００１４】
スマートカードは、チップカードまたは集積回路カードとしても知られているかもしれない。スマートカードは、当該技術分野において周知であり、情報を処理できる集積回路が組込まれている。スマートカードは、アプリケーションを有する集積回路またはチップによってそれに基づいて処理される入力を受取って、出力を供給することができる。接触式スマートカードは、約１センチメートル四方のいくつかの金めっき接触パッドからなる接触領域を有している。接触式スマートカードは、読取装置に挿入されると、チップから情報を読取って情報を書込むことができる電気コネクタと接触する。典型的なスマートカードは、カードの寸法を決定するＩＳＯ／ＩＥＣ７８１０の寸法、ならびにチップの物理的な位置および電気的特性を規定するＩＳＯ／ＩＥＣ７８１６に従っている。接触式スマートカードは、一般にバッテリを含んでおらず、チップ上で行なわれる機能のためにエネルギがカード読取装置によって供給される。接触式スマートカードは、一般に、標準的な通信プロトコルを有しており、そのため、異なる読取装置でスマートカードを使用することができ、取引を完了させることができる。接触式スマートカードは、スマートカードとホストとの間の通信媒体として使用され、このようなホストは、コンピュータ、ＰＯＳ端末、携帯電話、乗継ぎ入口ポイント、公衆電話などであってもよい。
【００１５】
別の種類のスマートカードは、非接触式スマートカードとして知られている。非接触式スマートカードは、ＲＦＩＤ誘導技術または他の非接触式技術によってカード読取装置と通信するチップを含んでいる。非接触式スマートカードは、取引を完了させるためにアンテナに近接していることのみが必要である。非接触式スマートカードは、一般に、標準的な取引カードの寸法、たとえばＩＳＯ／ＩＥＣ７８１６によって規定され、たとえばＩＳＯ／ＩＥＣ１４４３によって規定される標準的な通信プロトコルを有している。一般に、非接触式スマートカードは１０センチメートルまでの距離で通信可能である。非接触式スマートカードの規格は、５０センチメートルまでの距離での通信を可能にするＩＳＯ／ＩＥＣ１５６９３である。大量輸送交通機関および有料道路などの用途でのより大きな距離では、他の規格が利用可能であり得る。
【００１６】
スマートカードは、２つ以上の技術をスマートカード上に有していてもよい。たとえば、スマートカードは磁気ストリップおよびチップを有していてもよい。スマートカードは、磁気ストリップ、チップおよび非接触式インターフェースをすべて１つのカード上に有していてもよい。スマートカードは、チップおよび非接触式インターフェースを１つのカード上に有していてもよい。磁気ストリップおよび少なくともチップを有するスマートカードは、時には、ハイブリッドスマートカードとして知られているかもしれない。本明細書に記載される本発明の装置および方法は、これらの媒体種別のいずれかまたはすべてを有するカードで有用である。
【００１７】
ＩＣカード読取装置の例
図２３にさらに示されるように、例示的なＩＣ（チップ）カード読取装置が開示される。スロット入口２２ａの反対側のハウジング１４の後方部１４ａ内に複数の信号接点３０が位置決めされている。接点３０は、後方部１４ａから突き出ており、スロット２２が規定される面に対して垂直に延びている。接点３０は各々、カード２５の表面上に規定された接触パッド２５ａと拭取り係合（wiping engagement）する、撓むことができるばね状の内側領域３０ａと、フレキシブルＰＣＢ３３（図９に図示）などのＰＣＢで終端する尾部を有する外側領域３０ｂとを含む。カード２５が後方部１４ａに向かってスロット２２に直線的に挿入されると、ばね状部３０ａはカード２５の接触パッド２５ａと摺動係合して、そこから埃およびごみを除去する。カード読取動作の完了後にカードをスロット２２から引抜くと、カード２５は同様の拭取り動作を受ける。
【００１８】
接触部３０ａを接触パッド２５ａと位置合わせするために、接触パッド２５ａを有するカード２５の表面をハウジング１４の上面１６に対して上に向けることが重要である。接触パッド２５ａの係合によりカード読取動作が開始するまでカード２５の平面的な挿入経路を維持するように（カード２５の下方の）ガイド１６ａおよび１８ａが協働する。なお、さらに、適切にカードが挿入されたことを示して、さらにカード読取動作を開始させるように、ハウジングは従来から知られている１つ以上の切換え接点（図示せず）を支持してもよい。
【００１９】
当業者は、他の好適なカード読取装置の設計に気付くであろう。
支払プロセス
図１は、例示的な支払システムおよびプロセスのフローチャートを示す。標準的な取引カードが加盟店（たとえば、自動販売機１０）で提示され、クレジットカードデータがコントローラに送られ、次いで、コントローラは、さまざまな銀行、加盟店口座および顧客口座からの情報を取扱う外部取引プロセッサにそのデータを送信する。
【００２０】
支払プロセス
ガソリン（石油）スタンドを明らかな例外として自動販売タイプの状況以外で大半の小売り用途（たとえば、商店、バー、ホテルなど）においてクレジットカードまたはデビットカードを使用すると、現金と全く同じように、請求書が提示された後にクレジットカードまたはデビットカードで支払を行なうことになる。消費者のカードがデビット支払もクレジット支払も取扱うことができる場合には、小売店端末は、必ずしもそうであるとは限らないが、通常は、どちらの取引を使用するかを消費者に選択させる。
【００２１】
無人販売時点管理の用途（たとえば、自動販売など）は、一般に、逆の支払を取扱う。すなわち、まず現金が提示され、次いで選択がなされる。これは、現金またはカードまたは携帯電話または他のキャッシュレス装置で支払を行なう際に顧客満足体験が一貫していなければならない場合には、特有の課題を提起することになる。
【００２２】
消費者のカードがデビット支払もクレジット支払も取扱うことができる場合、無人販売時点管理は一般に選択の機会を提供することはなく、取引は単に、カードに設定されたデフォルトの取引で処理される。
【００２３】
さらに複雑なことに、デビットカード、クレジットカードおよび他の標準的なバンクカードは、しばしば２つ以上のセキュリティ機能を順に使用してもよく、これらの中にはオンライン支払方法を含むものもあれば、含まないものもある。
【００２４】
磁気ストライプおよびチップ（デビットおよびクレジット両方）およびアメリカでの非接触式
磁気ストライプおよびチップおよびアメリカでの非接触式取引はオンラインで行なわれる。なぜなら、カードに記憶される金額がないためである。いくつかの非接触式取引、たとえばペイパス、ペイウェーブおよびエクスプレスペイは、磁気カードを通す動作を模倣する。承認はリアルタイムで行なわれるが、清算（決済）はもっと後の段階でバッチとしてなされることができる。アメリカでは、これを取扱う方法として、事前承認（pre-authorization）またはオープン接続（open-connection）によるものの２つの方法がある。
【００２５】
事前承認では、加盟店の端末に対してカードが提示され、カード情報がコントローラに渡る。コントローラは、機械または現金箱と通信して、取引額を判断する。次いで、取引額が取引プロセッサに送られ、承認が行なわれる。取引プロセッサは、承継銀行経由で承認要求を送る。承継銀行は、カードを発行した銀行と連絡をとる。発行銀行は、カード所有者の口座をチェックして、資金が利用可能であることを確認する。その回答が加盟店に送られる。承認が与えられると、支払が確定され、同じルートを通って発行銀行に渡る。次いで、発行銀行は、カード所有者の口座から加盟店の口座にお金を移す。当然のことながら、これはすべて、関係するさまざまなシステムおよびプロセッサにならびにシステムおよびプロセッサ間で電子データをやりとりすることによって比較的短時間で処理される。
【００２６】
承認される金額は、なされる支払と一致している必要はない。たとえば、レストランは、食べ物の価格についての承認を処理するが、最終的な決済に任意の心付けを追加することができる。石油スタンドは、一般に、高い金額で事前認可し、その後、実際に仕入れた燃料の金額に合わせて調整する。
【００２７】
オープン接続システムでは、カードを通す動作またはタッピングによってカードが提示されると、コントローラが取引プロセッサとの接続をオープンにする。消費者は「選択を行なう」よう促される。実際の販売価格が承認される。設定可能な時間の間、マルチ自動販売機では接続がオープンなままである。
【００２８】
オンライン／オフラインプリペイドシステムおよびアメリカ以外での非接触式システムは、オンライン承認に加えてプリペイドカードであってもよい。プリペイドカードは、カードに金額を記憶させる。
【００２９】
ＥＭＶ非接触式カードは、取引中に減じられて使うときには単にお金になる安全なバリュークレジットの形態で、利用可能な資金を搭載している。プリペイドカードは、オンライン接続の必要がない。ＥＭＶなどの非接触式は、一般に、支払を処理するため、またはカードの状態を時々チェックするために、オンライン接続する。金額がカードに記憶されるので、購入を行なうのに十分なクレジットがあることをコントローラが確認する以外に、必要な事前承認はない。取引がなされると、オンライン取引と同様にクレジット（支払）が処理されるが、金額がすでに承認されているので、これは必ずしもリアルタイムでなされる必要はない。取引手数料を下げるために、取引はバッチ処理することができる。
【００３０】
このように、カード種別および支払経路はしばしば、クレジットカードデータを格納するために使用される媒体種別に関連することが分かる。媒体種別としては、磁気ストライプ、チップ、非接触式などが挙げられるが、それらに限定されない。多くのカードは、１つ以上の媒体種別を利用する。上述のように、媒体種別は取引種別（オンライン、オフラインなど）と言い換えることができる。
【００３１】
エアータイムプロバイダ、取引プロセッサおよび承継銀行はすべて、承認および支払の双方を取扱うことに対して料金を取る。この料金は、取引種別に応じてさまざまである。現在のところ、磁気ストライプ取引が最も高価であり、取引当たりのパーセントとして支払われる。その次はチップであり、これも取引のパーセントとして支払われる。非接触式が最も安価であり、取引／バッチ当たりの支払が固定されてきた。驚くべきことではないが、場合によっては、金融機関はより高い手数料をより安全でない取引と結び付ける。さらに、実際の料金は加盟店によって支払われ、加盟店の交渉力に応じてレートが非常に変動する。このように、すべての媒体種別およびすべての取引種別を認識して所有者／操作者が最も有利な取引種別を確立することができる支払インターフェースシステムが興味深いであろう、ということが分かる。一方、支払インターフェースは、最も効果的であるためには、直感的でなければならず、場所ごとにユーザにとって一貫したものでなければならない。
【００３２】
したがって、単一の支払インターフェース装置（ベゼル、端末）は、１枚のカード上の多数の媒体種別に存在するデータを検知して読取るように設計されてきた。特に、装置は、単一のスロットにカードを挿入することによりカード上の多数のカード種別の読取が容易になるように設計される。
【００３３】
支払インターフェースシステムであって、
ａ．ユーザインターフェースを備え、上記ユーザインターフェースは、
ｉ．ハウジングと、
ｉｉ．各々が異なる媒体種別を読取るように選択される、カードデータおよび媒体種別を検知するための複数の媒体センサと、
ｉｉｉ．カードデータを少なくとも１つの媒体種別に格納させた標準的な金融取引カードを誘導するための単一のカード経路とをさらに備え、
各媒体センサは、標準的な金融取引カードを上記単一のカード経路に沿って上記単一のカード経路に挿入するというユーザの動作により、上記カード上に存在する各媒体種別を対応する媒体センサと作動的に通信させるように、上記単一のカード経路に沿って上記ハウジング内に位置決めされて設置され、上記支払インターフェースシステムはさらに、
ｂ．取引種別コントローラを備え、上記取引種別コントローラは、
ｉ．多数の媒体種別が１枚の標準的な金融取引カードに存在する場合に所望の取引種別を判断して媒体種別に基づいて支払を提示することに関する一組の格納された命令を収容するためのメモリと、
ｉｉ．カードデータおよび媒体種別を取得し、上記標準的な金融取引カード上で利用可能な媒体種別および上記格納された命令に基づいて上記所望の取引種別を判断するように上記格納された命令を実行するための、上記所望の取引種別をカードデータとともに支払コントローラに通信することができる、上記複数の媒体センサと通信するプロセッサとをさらに備える、支払インターフェースシステム。
【００３４】
媒体種別は、標準的な金融取引カード上のデータの入力、格納、出力および更新に適した任意の媒体種別であってもよい。媒体種別は、磁気ストライプ、集積チップ、集積チップ・アンド・ピン、ＲＦ装置および近距離無線通信（near field communication）（ＮＦＣ）装置であり得るが、それらに限定されない。
【００３５】
したがって、媒体センサは、標準的な金融取引カードに見られる媒体種別を検知するのに適した任意の好適な媒体センサであってもよい。たとえば、好適な媒体センサは、磁気ストライプ読取装置、チップ読取装置、チップ・アンド・ピン読取装置、非接触式読取装置、プリペイドカード読取装置、ＲＦ読取装置および近距離無線通信（ＮＦＣ）読取装置などを含むが、それらに限定されない。
【００３６】
いくつかの実施例では、上記複数の媒体センサのうちの少なくとも１つは、接触式または非接触式媒体が単一のカードスロットおよび経路に入ることなく上記ハウジングに作動的に近接している時に接触式または非接触式媒体を読取ることができるように位置決めされた接触式または非接触式読取装置である。このように、単一のインターフェースは、そのカードスロットにカードを受付けることができるが、スロットがなくても接触式または非接触式の使用を受入れることができる。この構成により、適当な接触式または非接触式技術を備えた非カード技術（たとえば、スマートフォン）の使用も可能になるであろう。
【００３７】
ユーザインターフェースがユーザと通信することが時には有益である場合もある、ということを理解すべきである。任意の好適な通信装置または組合せを使用できる。たとえば、ビデオおよび／またはオーディオキューがユーザに対して与えられてもよい。したがって、インターフェースは、表示装置、オーディオ装置またはそれらの組合せを備え得る。
【００３８】
この説明はキャッシュレス装置の準備に焦点を当てているが、この装置は現金および硬貨ベースのシステムとともに使用されるようにも構成できる、ということを理解すべきである。したがって、いくつかの実施例では、支払インターフェース装置は紙幣受入器も備えていてもよい。いくつかの実施例では、紙幣受入器は、高さが最も高い位置、高さがより低い位置または中程度の高さの位置に位置決めすることができる。図２〜図１０に示されるように、中程度の高さの位置では、紙幣経路が単一のクレジットカード経路を横切ってもよい。この状況によりスペースの節約が可能になり、これは自動販売動作では重要である。この場合は、紙幣受入器がカードを通すためのスロットを規定する。いくつかの実施例では、紙幣受入器は、スロットに引っかかる紙幣を最小限にするためにシャッタまたは他のシステムを利用してもよい。他の設計および位置が可能であり、紙幣経路とカード経路とは交差していても交差していなくてもよい。
【００３９】
なお、また、本開示は自動販売機に配置される装置システムおよび方法に焦点を置いてきたが、自動販売機以外で、たとえばスタジアムイベントまたは非自動販売クレジットカード承認が必要であり得るどの場所でも有用であろうたとえば手持ち式のカード読取装置において同様のシステムを確立することができる。たとえば、ＰＯＳレジスタの一部として、別個のＰＯＳクレジットカードプロセッサまたは（図２２に例示されているような）手持ち式のＰＯＳ装置がある。このような装置のいくつかの実施例は、どの取引種別がコントローラに伝わり、最終的に取引プロセッサおよびさまざまな銀行に伝わるかを判断するための取引種別プロセッサと通信する複数の媒体センサを含む。取引種別コントローラは、コントローラと同じであってもよく、または異なっていてもよい。通信はすべて有線または無線またはそれらの組合せであってもよい。
【００４０】
さらに、ユーザ満足度を促進するために、インターフェースは、単一のキー、多数のキーまたはタッチスクリーンなどと同じぐらい簡素であり得るユーザ入力装置を利用してもよい。
【００４１】
いくつかの実施例では、支払インターフェースシステムは、
ａ．ユーザインターフェース（たとえば、ベゼル／端末）を備え、上記ユーザインターフェースは、
ｉ．カードデータを少なくとも１つの媒体種別に格納させた標準的な金融取引カードを受付けるための単一のカードスロットおよび単一のカード経路を規定するハウジングと、
ｉｉ．カードデータおよび媒体種別を検知するための複数の媒体センサとをさらに備え、
各媒体センサは、標準的な金融取引カードを上記単一のカード経路に沿って上記単一のカードスロットに挿入するというユーザの動作により、上記カード上に存在する各媒体種別を対応する媒体センサと作動的に通信させるように、上記ハウジング内に位置決めされて設置され、
上記複数の媒体センサは各々、異なる媒体種別から選択され、上記媒体種別は、磁気ストライプ読取装置、チップ読取装置、チップ・アンド・ピン読取装置、非接触式読取装置、プリペイドカード読取装置、ＲＦ読取装置および近距離無線通信（ＮＦＣ）読取装置から選択され、
任意の接触式または非接触式読取装置はまた、接触式または非接触式媒体が上記単一のカードスロットおよび経路に入ることなく上記ハウジングに作動的に近接している時に接触式または非接触式媒体を読取ることができるように位置決めされ、上記ユーザインターフェースはさらに、
ｉｉｉ．ユーザと通信するための通信装置を備え、
上記通信装置は、表示装置、オーディオ装置またはそれらの組合せであり、上記ユーザインターフェースはさらに、
ｉｖ．紙幣受入器と、
ｖ．ユーザ入力装置（すなわち、１つ以上のキー）とを備え、上記支払インターフェースシステムはさらに、
ｂ．媒体種別コントローラを備え、上記媒体種別コントローラは、
ｉ．多数の媒体種別が１枚の標準的な金融取引カードに存在する場合に所望の媒体種別を判断して支払を提示することに関する一組の格納された命令を収容するためのメモリと、
ｉｉ．上記標準的な金融取引カード上で利用可能な媒体種別および上記格納された命令に基づいて上記所望の媒体種別を判断するように上記格納された命令を実行するための、上記所望の媒体種別を支払コントローラに通信することができる、上記複数の媒体センサと通信するプロセッサとをさらに備える。
【００４２】
上で示唆したように、システムのさまざまな部分はそれら自体が重要である。支払インターフェースシステムのためのユーザインターフェースは、
ハウジングと、
各々が異なる媒体種別を読取るように選択される、カードデータおよび媒体種別を検知するための複数の媒体センサと、
カードデータを少なくとも１つの媒体種別に格納させた標準的な金融取引カードを誘導するための単一のカード経路とを備え、
各媒体センサは、標準的な金融取引カードを上記単一のカード経路に沿って上記単一のカード経路に挿入するというユーザの動作により、上記カード上に存在する各媒体種別を対応する媒体センサと作動的に通信させるように、上記単一のカード経路に沿って上記ハウジング内に位置決めされて設置される。
【００４３】
上述のように、上記媒体センサは、磁気ストライプ読取装置、チップ読取装置、チップ・アンド・ピン読取装置、非接触式読取装置、プリペイドカード読取装置、ＲＦ読取装置および近距離無線通信（ＮＦＣ）読取装置から選択される。
【００４４】
いくつかの実施例では、上記複数の媒体センサのうちの少なくとも１つは、接触式または非接触式媒体が単一のカードスロットおよび経路に入ることなく上記ハウジングに作動的に近接している時に接触式または非接触式媒体を読取ることができるように位置決めされた接触式または非接触式読取装置である。図面全体にわたって示されるように、いくつかの実施例はランディングパッド（landing pad）２１０を設け、そこに対してまたはその付近に、ユーザは非接触式取引用のカード（または他の装置）を置くことができる。いくつかの実施例では、ランディングパッド２１０の場所をユーザに知らせるために標準的なまたは普遍的なシンボルを用いることができる。
【００４５】
いくつかの実施例では、表示装置、オーディオ装置またはそれらの組合せなどの、ユーザと通信するための通信装置が設けられてもよい。
【００４６】
いくつかの実施例では、紙幣受入器が設けられてもよい。
いくつかの実施例は、ユーザ入力装置（たとえば、１つ以上のキー）を利用してもよい。
【００４７】
支払インターフェースに加えて、取引種別コントローラを利用できる。取引コントローラは、ユーザインターフェースとは別個のものであってもよく、いくつかの実施例では両者を別個のものにして自動販売機内のスペースを最大限利用できるようにインターフェースに結合される。取引種別コントローラはまた、取引プロセッサと一体的であってもよく、または別個のものであってもよい。
【００４８】
支払インターフェースシステムのための取引種別コントローラは、
多数の媒体種別が１枚の標準的な金融取引カードに存在する場合に所望の取引種別を判断して媒体種別に基づいて支払を提示することに関する一組の格納された命令を収容するためのメモリと、
カードデータおよび媒体種別を取得し、上記標準的な金融取引カード上で利用可能な媒体種別および上記格納された命令に基づいて上記所望の取引種別を判断するように上記格納された命令を実行するための、上記所望の取引種別をカードデータとともに支払コントローラに通信することができる、複数の媒体センサと通信するプロセッサとを備える。
【００４９】
格納された命令は、一般に、カード上の媒体種別および／またはセキュリティ機能に基づいて優先順位を確立するある種のランキングまたは階層を含む。上述のように、現在のところ、磁気ストライプが最も安全でないと考えられており、他のセキュリティ機能を有するカードが利用可能な市場では、金融機関は磁気ストライプカードに基づく取引に対してより高い金額を課金する。したがって、たとえば磁気ストライプも非接触式技術も検出すると、その非接触式技術を用いてカードを処理するように命令を書込むことができ、それによって加盟店の手数料が少なくなり、したがって利益が増大する。
【００５０】
任意の所望の階層を確立してシステムにプログラムすることができる、ということを当業者は容易に認識するであろう。このような更新は、所有者によって更新されるか、または製造もしくはインストール時に機械にロードされ得る。
【００５１】
したがって、取引種別コントローラは、基本的には金融機関が販売に気付く前に、インターフェース内のセンサから受取ったデータに基づいて、どの媒体種別が利用可能であるか、したがってどの取引種別が利用可能であるか、最終的にどの取引種別のもとで取引が行なわれるかを評価することに有用である。
【００５２】
図面を参照して、図２〜図４は、本明細書に開示される例示的なベゼルまたは端末（ユーザインターフェース）を示す。ベゼル１００はハウジング１１０を含み、ハウジング１１０は、さまざまな媒体センサ（たとえば、接触式読取装置２００、アンテナ２０２、カード通し読取装置２０４）を支持し、単一のカード経路３００を規定する。示されるように、この装置は、紙幣受入器５０６を含み、カード経路３００を横切る紙幣経路を規定する。この装置はまた、ディスプレイ５２０と、インタラクティブボタン５１０と、カードまたは他の装置上の非接触式媒体を検知するためのランディングパッド２１０とを有している。カード６００はカード経路３００に挿入され、そこで、挿入時に、さまざまなセンサがカード上のすべての媒体を読取るまたは検知することができる。他の部分に記載したように、情報が取引種別コントローラに渡る。
【００５３】
図５は、カードを挿入した状態の切取図である。各センサがこの位置のカードを読取るもしくは検知することができる、または、読取っているもしくは検知していることが容易に分かる。
【００５４】
図６〜図１０は、例示的なベゼルのさまざまな図である。
図１１Ａ〜図１２Ｂは、紙幣経路およびカード経路が基本的にそれらの幅に沿って交差する代替的な形状を示す。
【００５５】
図１３Ａ〜図１５Ｂは、紙幣経路とカード経路とが交差しない代替的な形状を示す。
図１６Ａ〜図１７Ｂは、カードの面と紙幣とが互いに垂直になるように紙幣経路がカード経路を横切る代替的な形状を示す。
【００５６】
図１８Ａ〜図１９は、カード経路と紙幣経路とが交差しないさらに他の形状を示す。
図２０は、非接触式センサのためのアンテナのいくつかの実施例を示す。
【００５７】
図２１Ａおよび図２１Ｂは、さまざまな読取装置およびセンサの構成のいくつかの実施例を示す。なお、これらは修理または交換を容易にするためにモジュラー構造であってもよい。なお、また、この構成は手持ち式のユニットまたはスタンドアロンのユニットに適しており、より大型の機械（たとえば、自動販売機、ギャンブル機、銀行の機械など）への適用例にも適している。
【００５８】
標準的な金融取引カード上で利用可能な媒体種別に基づいて取引処理のための取引種別を判断する方法は、
１枚の標準的な金融取引カード上で利用可能な媒体種別に関する電子データを受取るステップと、
所望の取引種別を判断するために、利用可能な媒体種別に関する上記電子データと、可能性のある媒体種別の優先処理に関する格納された命令とを、プロセッサによって比較するステップと、
上記比較に基づいて所望の取引種別を判断するステップと、
所望の取引種別を含む電子データを取引プロセッサに送信するステップとを備える。
【００５９】
電子データは任意の供給源によってもたらされてもよいが、いくつかの実施例では、上記電子データを受取るステップの前に、上記方法はさらに、どの媒体種別が存在するかを含む、上記１枚の標準的な金融取引カード上の複数の媒体種別に格納されたデータを複数の媒体センサによって検知するステップと、上記データを電子データとして上記プロセッサに出力するステップとを備えることが本明細書では検討されている。
【００６０】
いくつかの実施例では、上記格納された命令は、データベースまたは他のデータ構造などの電子的な形態で、上記所望の取引種別に対応する媒体種別の階層的ランキングを含む。
【００６１】
ベゼルなどの例示的なユーザインターフェースが図２〜図１０にわたって示されている。図面全体にわたって同様の参照数字は同様の要素を指す。図面は単に例示的であるように意図されており、本明細書中の図面および開示に照らし合わせると、インターフェースの他の変形例が容易に明らかになるであろう。
【００６２】
図６は、自動販売機または他の取引機械で有用なベゼルの斜視図である。ベゼル１００は、ハウジング１１０と、ディスプレイ５２０と、２つのユーザ関与可能なキーの形態の入力装置５１０と、紙幣受入器５０６とを含み、紙幣経路３００は太矢印で示されている。
【００６３】
図７は、後方斜視図である。この図では、いくつかの内部の仕組みを見ることができる。ベゼル１００はハウジング１１０を含み、ハウジング１１０は、この実施例ではＲＦセンサループ２０２を含む媒体センサ２００のためのさまざまなキャリアプラットフォームを収容している。紙幣受入器５００も見られる。示される実施例では、カード経路は紙幣経路を横切っている。このような実施例では、紙幣およびカードを同時に挿入することが確実にできないようにするための手段が利用されてもよい。このような手段は、物理的手段または恐らくはソフトウェア手段であってもよく、それによって２つの経路のうちの１つが使用できなくなる。
【００６４】
図８は、ベゼルの分解斜視図である。全体を通して、ハウジング１１０がさまざまなプラットフォームを支持しており、これらのプラットフォームがさらには媒体センサを支持していることが分かる。重要なことであるが、内部部分２５０および２５５が単一のカード経路３００を規定している。媒体センサ２００は、各媒体センサが特定の媒体種別についての標準的な金融取引カード上の標準位置に相補的な位置に位置するように、単一のカード経路の周りに戦略的に配置される。
【００６５】
ハウジング１１０は、直接的または間接的にさまざまな部品を封入し、固定する。内部部分２５０および２５５はとりわけ結合して、太矢印によって示される単一のカード経路３００を規定する。この図では、バンクカード上の磁気ストライプの位置に対応するように経路に沿って適切に配置された磁気ストライプ読取装置２０４を見ることができる。ディスプレイ画面５２０およびキーの形態のインターフェース５１０も示されている。ＲＦおよび他の接触式／非接触式操作のための媒体センサとしてＲＦループ２０２が設けられている。追加の媒体センサ２００が、コンパクトであるが効果的なパッケージ内に適切に設置され、収容されている。内部部分２５０などのさまざまな部品も結合して、紙幣受入器を構成する。
【００６６】
図９および図１０は、追加の媒体センサを含むさまざまな電子機器のためのいくつかの可能な構成を示す。使用されるセンサによって、自動販売機の特有のスペース要件および他の要因、設計、向きおよびレイアウトはさまざまであり得る。
【００６７】
一般に、本明細書、特に添付の特許請求の範囲（たとえば、添付の特許請求の範囲の本文）の中で用いられる用語は、「オープンな」用語であるように概して意図されている（たとえば、「含む（including）」という用語は「含むが、それに限定されない」の意味に解釈されるべきであり、「有する（having）」という用語は「少なくとも有する」の意味に解釈されるべきであり、「備える（comprises）」という用語は「含むが、それに限定されない」の意味に解釈されるべきである、など）ということを当業者は理解するであろう。
【００６８】
さまざまな化合物、組成物、方法および装置は、さまざまな構成要素またはステップを「備える」、「含む」または「有する」（「含むが、それに限定されない」の意味に解釈される）という「オープンな」用語で記載されるが、これらの化合物、組成物、方法および装置は、さまざまな構成要素およびステップ「から本質的になっている」または「からなっている」ことも可能であり、このような用語は基本的にクローズした部材群を定義するものとして解釈されるべきである、ということも理解すべきである。この段落は、「備える」、「有する」または「含む」（およびそれらの他の動詞の形態）の意味を限定することを意図したものでは決してなく、これらは、特許法および慣習に一致する「含むが、それに限定されない」という意味のオープンエンドな句として解釈されるべきである。この段落は、「からなっている」または「から本質的になっている」という言い回しによって定義されるクローズした部材群が、オープンエンドな記載の中では含まれる群がより少ないことを示すことを単に意図しており、「からなっている」または「から本質的になっている」という言い回しを利用する請求項に対するサポートを提供することを意図している。
【００６９】
本明細書中の実質的にいかなる複数形および／または単数形の用語もその使用に関しては、当業者は、文脈および／または用途に沿うように、複数形から単数形に、および／または、単数形から複数形に変換することができる。明確にするために、さまざまな単数形／複数形の置換を本明細書中に明白に記載してもよい。
【００７０】
導入された請求項の記載において特定の数が意図される場合には、そのような意図は請求項中に明確に記載され、このような記載がなければそのような意図は存在しない、ということを当業者はさらに理解するであろう。たとえば、理解を促すために、以下の添付の特許請求の範囲は、「少なくとも１つの」および「１つ以上の」という導入句を用いて請求項の記載を導入してもよい。しかし、このような句を使用するからといって、「a」または「an」といった不定冠詞により請求項の記載を導入した場合に、たとえ同一のクレーム内に、「１つ以上の」または「少なくとも１つの」といった導入句および「a」または「an」などの不定冠詞が含まれるとしても、当該導入された請求項の記載を含む特定の請求項が、当該記載事項を１つのみ含む実施例に限定されるということが示唆されると解釈されるべきではない（たとえば、「a」および／または「an」は、「少なくとも１つの」または「１つ以上の」を意味すると解釈されるべきである）。同様のことが、定冠詞を用いて請求項の記載を導入することにも当てはまる。さらに、導入された請求項の記載において特定の数が明確に記載されていたとしても、そのような記載が記載された数を少なくとも意味するものとして解釈されるべきである、ということを当業者は認識するであろう（たとえば、他に修飾語のない単なる「２つの記載事項」という記載がある場合、この記載は少なくとも２つの記載事項または２つ以上の記載事項を意味する）。さらに、「Ａ、ＢおよびＣなどのうちの少なくとも１つ」と同様の表現が用いられる場合、そのような構造は一般に、当業者がこの表現を理解するであろう意味で意図されている（たとえば、「Ａ、ＢおよびＣのうちの少なくとも１つを有するシステム」は、Ａのみ、Ｂのみ、Ｃのみ、ＡとＢの両方、ＡとＣの両方、ＢとＣの両方、および／または、ＡとＢとＣのすべてなどを有するシステムを含むが、それらに限定されないであろう）。「Ａ、ＢまたはＣなどのうちの少なくとも１つ」と同様の表現が用いられる場合、そのような構造は一般に、当業者がこの表現を理解するであろう意味で意図されている（たとえば、「Ａ、ＢまたはＣのうちの少なくとも１つを有するシステム」は、Ａのみ、Ｂのみ、Ｃのみ、ＡとＢの両方、ＡとＣの両方、ＢとＣの両方、および／または、ＡとＢとＣのすべてなどを有するシステムを含むが、それらに限定されないであろう）。２つ以上の選択可能な用語を表わす実質的にあらゆる離接語および／または離接句は、明細書内であろうと、特許請求の範囲内であろうと、または図面内であろうと、それらの用語のうちの１つ、それらの用語のうちのいずれか、またはそれらの用語の両方を含む可能性を意図するものと理解されるべきである、ということを当業者はさらに理解するであろう。たとえば、「ＡまたはＢ」という句は、「ＡまたはＢ」または「ＡおよびＢ」である可能性を含むものと理解される。
【００７１】
さらに、本開示の特徴または局面がマーカッシュグループによって記載されると、それによって本開示がマーカッシュグループの任意の個々の要素または要素のサブグループの観点からも記載されるということを当業者は認識するであろう。
【００７２】
当業者によって理解されるように、説明を提供するなどのあらゆるかつすべての目的のため、本明細書に開示されるすべての範囲は、あらゆるかつすべての可能な部分範囲およびその部分範囲の組合せも包含する。記載されたあらゆる範囲は、少なくとも半分、３分の１、４分の１、５分の１、１０分の１などへと細分化される同一の範囲を十分に記載し、かつ可能にしていることが容易に認識できる。非限定的な例として、本明細書に記載される各範囲は、下部３分の１、中部３分の１および上部３分の１などに容易に分けることができる。また、当業者によって理解されるように、「まで」、「少なくとも」などの言い回しはすべて、記載される数を含み、上述したような部分範囲に後に細分化できる範囲を指す。最後に、当業者によって理解されるように、範囲は各々の個々の要素を含む。したがって、たとえば、１〜３個の置換物を有するグループは、１個、２個または３個の置換物を有するグループを指す。同様に、１〜５個の置換物を有するグループは、１個、２個、３個、４個または５個の置換物を有するグループを指す、などである。
【００７３】
本発明は添付の特許請求の範囲において定義されるが、本発明はまた、以下の実施例に従って定義することもできるということが理解される。
【００７４】
１．支払インターフェースシステムであって、
ａ．ユーザインターフェースを備え、前記ユーザインターフェースは、
ｉ．ハウジングと、
ｉｉ．各々が異なる媒体種別を読取るように選択される、カードデータおよび媒体種別を検知するための複数の媒体センサと、
ｉｉｉ．カードデータを少なくとも１つの媒体種別に格納させた標準的な金融取引カードを誘導するための単一のカード経路とをさらに備え、
各媒体センサは、標準的な金融取引カードを前記単一のカード経路に沿って前記単一のカード経路に挿入するというユーザの動作により、前記カード上に存在する各媒体種別を対応する媒体センサと作動的に通信させるように、前記単一のカード経路に沿って前記ハウジング内に位置決めされて設置され、前記支払インターフェースシステムはさらに、
ｂ．取引種別コントローラを備え、前記取引種別コントローラは、
ｉ．多数の媒体種別が１枚の標準的な金融取引カードに存在する場合に所望の取引種別を判断して媒体種別に基づいて支払を提示することに関する一組の格納された命令を収容するためのメモリと、
ｉｉ．カードデータおよび媒体種別を取得し、前記標準的な金融取引カード上で利用可能な媒体種別および前記格納された命令に基づいて前記所望の取引種別を判断するように前記格納された命令を実行するための、前記所望の取引種別をカードデータとともに支払コントローラに通信することができる、前記複数の媒体センサと通信するプロセッサとをさらに備える、支払インターフェースシステム。
【００７５】
２．前記媒体センサは、磁気ストライプ読取装置、チップ読取装置、チップ・アンド・ピン読取装置、非接触式読取装置、プリペイドカード読取装置、ＲＦ読取装置および近距離無線通信（near field communication）（ＮＦＣ）読取装置から選択される、実施例１に記載の支払インターフェースシステム。
【００７６】
３．前記複数の媒体センサのうちの少なくとも１つは、接触式または非接触式媒体が単一のカードスロットおよび経路に入ることなく前記ハウジングに作動的に近接している時に接触式または非接触式媒体を読取ることができるように位置決めされた接触式または非接触式読取装置である、実施例１または２に記載の支払インターフェースシステム。
【００７７】
４．ユーザと通信するための通信装置をさらに備える、実施例１〜３のいずれかに記載の支払インターフェースシステム。
【００７８】
５．前記通信装置は、表示装置、オーディオ装置またはそれらの組合せである、実施例４に記載の支払インターフェースシステム。
【００７９】
６．紙幣受入器をさらに備える、実施例１〜５のいずれかに記載の支払インターフェースシステム。
【００８０】
７．ユーザ入力装置をさらに備える、実施例１〜６のいずれかに記載の支払インターフェースシステム。
【００８１】
８．支払インターフェースシステムであって、
ａ．ユーザインターフェースを備え、前記ユーザインターフェースは、
ｉ．カードデータを少なくとも１つの媒体種別に格納させた標準的な金融取引カードを受付けるための単一のカードスロットおよび単一のカード経路を規定するハウジングと、
ｉｉ．カードデータおよび媒体種別を検知するための複数の媒体センサとをさらに備え、
各媒体センサは、標準的な金融取引カードを前記単一のカード経路に沿って前記単一のカードスロットに挿入するというユーザの動作により、前記カード上に存在する各媒体種別を対応する媒体センサと作動的に通信させるように、前記ハウジング内に位置決めされて設置され、
前記複数の媒体センサは各々、異なる媒体種別から選択され、前記媒体種別は、磁気ストライプ読取装置、チップ読取装置、チップ・アンド・ピン読取装置、非接触式読取装置、プリペイドカード読取装置、ＲＦ読取装置および近距離無線通信（ＮＦＣ）読取装置から選択され、
任意の接触式または非接触式読取装置はまた、接触式または非接触式媒体が前記単一のカードスロットおよび経路に入ることなく前記ハウジングに作動的に近接している時に接触式または非接触式媒体を読取ることができるように位置決めされ、前記ユーザインターフェースはさらに、
ｉｉｉ．ユーザと通信するための通信装置を備え、前記通信装置は、表示装置、オーディオ装置またはそれらの組合せであり、前記ユーザインターフェースはさらに、
ｉｖ．紙幣受入器と、
ｖ．ユーザ入力装置とを備え、前記支払インターフェースシステムはさらに、
ｂ．媒体種別コントローラを備え、前記媒体種別コントローラは、
ｉ．多数の媒体種別が１枚の標準的な金融取引カードに存在する場合に所望の媒体種別を判断して支払を提示することに関する一組の格納された命令を収容するためのメモリと、
ｉｉ．前記標準的な金融取引カード上で利用可能な媒体種別および前記格納された命令に基づいて前記所望の媒体種別を判断するように前記格納された命令を実行するための、前記所望の媒体種別を支払コントローラに通信することができる、前記複数の媒体センサと通信するプロセッサとをさらに備える、支払インターフェースシステム。
【００８２】
９．支払インターフェースシステムのためのユーザインターフェースであって、
ハウジングと、
各々が異なる媒体種別を読取るように選択される、カードデータおよび媒体種別を検知するための複数の媒体センサと、
カードデータを少なくとも１つの媒体種別に格納させた標準的な金融取引カードを誘導するための単一のカード経路とを備え、
各媒体センサは、標準的な金融取引カードを前記単一のカード経路に沿って前記単一のカード経路に挿入するというユーザの動作により、前記カード上に存在する各媒体種別を対応する媒体センサと作動的に通信させるように、前記単一のカード経路に沿って前記ハウジング内に位置決めされて設置される、ユーザインターフェース。
【００８３】
１０．前記媒体センサは、磁気ストライプ読取装置、チップ読取装置、チップ・アンド・ピン読取装置、非接触式読取装置、プリペイドカード読取装置、ＲＦ読取装置および近距離無線通信（ＮＦＣ）読取装置から選択される、実施例９に記載のユーザインターフェース。
【００８４】
１１．前記複数の媒体センサのうちの少なくとも１つは、接触式または非接触式媒体が単一のカードスロットおよび経路に入ることなく前記ハウジングに作動的に近接している時に接触式または非接触式媒体を読取ることができるように位置決めされた接触式または非接触式読取装置である、実施例９または１０に記載のユーザインターフェース。
【００８５】
１２．ユーザと通信するための通信装置をさらに備える、実施例９〜１１のいずれかに記載のユーザインターフェース。
【００８６】
１３．前記通信装置は、表示装置、オーディオ装置またはそれらの組合せである、実施例１２に記載のユーザインターフェース。
【００８７】
１４．紙幣受入器をさらに備える、実施例８〜１３のいずれかに記載のユーザインターフェース。
【００８８】
１５．ユーザ入力装置をさらに備える、実施例８〜１４のいずれかに記載のユーザインターフェース。
【００８９】
１６．支払インターフェースシステムのための取引種別コントローラであって、
多数の媒体種別が１枚の標準的な金融取引カードに存在する場合に所望の取引種別を判断して媒体種別に基づいて支払を提示することに関する一組の格納された命令を収容するためのメモリと、
カードデータおよび媒体種別を取得し、前記標準的な金融取引カード上で利用可能な媒体種別および前記格納された命令に基づいて前記所望の取引種別を判断するように前記格納された命令を実行するための、前記所望の取引種別をカードデータとともに支払コントローラに通信することができる、複数の媒体センサと通信するプロセッサとを備える、取引種別コントローラ。
【００９０】
１７．標準的な金融取引カード上で利用可能な媒体種別に基づいて取引処理のための取引種別を判断する方法であって、
１枚の標準的な金融取引カード上で利用可能な媒体種別に関する電子データを受取るステップと、
所望の取引種別を判断するために、利用可能な媒体種別に関する前記電子データと、可能性のある媒体種別の優先処理に関する格納された命令とを、プロセッサによって比較するステップと、
前記比較に基づいて所望の取引種別を判断するステップと、
所望の取引種別を含む電子データを取引プロセッサに送信するステップとを備える、方法。
【００９１】
１８．前記電子データを受取るステップの前に、前記方法はさらに、
どの媒体種別が存在するかを含む、前記１枚の標準的な金融取引カード上の複数の媒体種別に格納されたデータを複数の媒体センサによって検知するステップと、
前記データを電子データとして前記プロセッサに出力するステップとを備える、実施例１７に記載の方法。
【００９２】
１９．前記格納された命令は、前記所望の取引種別に対応する媒体種別の階層的ランキングを含む、実施例１８に記載の方法。
【００９３】
２０．前記媒体種別は、非接触式、接触式、磁気ストライプから選択される、実施例１９に記載の方法。
【符号の説明】
【００９４】
１００  ベゼル、１１０  ハウジング、２００  媒体センサ、３００  カード経路
【図１】
2013235557.tif 000003
【図２】
2013235557.tif 000004
【図３】
2013235557.tif 000005
【図４】
2013235557.tif 000006
【図５】
2013235557.tif 000007
【図６】
2013235557.tif 000008
【図７】
2013235557.tif 000009
【図８】
2013235557.tif 000010
【図９】
2013235557.tif 000011
【図１０】
2013235557.tif 000012
【図１１Ａ】
2013235557.tif 000013
【図１１Ｂ】
2013235557.tif 000014
【図１２Ａ】
2013235557.tif 000015
【図１２Ｂ】
2013235557.tif 000016
【図１３Ａ】
2013235557.tif 000017
【図１３Ｂ】
2013235557.tif 000018
【図１４Ａ】
2013235557.tif 000019
【図１４Ｂ】
2013235557.tif 000020
【図１５Ａ】
2013235557.tif 000021
【図１５Ｂ】
2013235557.tif 000022
【図１６Ａ】
2013235557.tif 000023
【図１６Ｂ】
2013235557.tif 000024
【図１７Ａ】
2013235557.tif 000025
【図１７Ｂ】
2013235557.tif 000026
【図１８Ａ】
2013235557.tif 000027
【図１８Ｂ】
2013235557.tif 000028
【図１９】
2013235557.tif 000029
【図２０】
2013235557.tif 000030
【図２１Ａ】
2013235557.tif 000031
【図２１Ｂ】
2013235557.tif 000032
【図２２】
2013235557.tif 000033
【図２３】
2013235557.tif 000034